(57)【要約】【課題】を提供する。【解決手段】シートベルト用ウェビング１は、主面側経糸１１と主面側緯糸１２と接結経糸３１とにより構成された主面側織物層１０、他面側経糸２１と他面側緯糸２２と接結経糸３１とにより構成された他面側織物層２０、主面側織物層１０と他面側織物層２０との間で、接結経糸を織り込む接結緯糸３２、を有し、糸１２が糸３１によって層２０に織り込まれ、且つ、糸２２が糸３１によって層１０に織り込まれて、層１０と層２０とが接結されており、各経糸に沿った方向に負荷が加わった場合に、糸３１が破断されるとともに、層１０及び層２０が各緯糸に沿った方向に拡がって幅広化する。【選択図】図１
2013067294.tif 000002
【特許請求の範囲】
【請求項１】
主面側経糸と主面側緯糸と接結経糸とにより構成された主面側織物層、
他面側経糸と他面側緯糸と前記接結経糸とにより構成された他面側織物層、
前記主面側織物層と前記他面側織物層との間で、前記接結経糸を織り込む接結緯糸、を有し、
前記主面側緯糸が、前記接結経糸によって前記他面側織物層に織り込まれ、且つ、前記他面側緯糸が、前記接結経糸によって、前記主面側織物層に織り込まれて、前記主面側織物層と前記他面側織物層とが接結されており、
前記各経糸に沿った方向に負荷が加わった場合に、前記接結経糸が破断されるとともに、前記主面側織物層及び前記他面側織物層が前記各緯糸に沿った方向に拡がって幅広化することを特徴とするシートベルト用ウェビング。
【請求項２】
前記接結経糸の破断強度は、前記主面側経糸、前記主面側緯糸、前記他面側経糸、及び前記他面側緯糸のいずれの糸の破断強度よりも小さい請求項１記載のシートベルト用ウェビング。
【請求項３】
前記接結経糸の破断伸びは、前記主面側経糸、前記主面側緯糸、前記他面側経糸、及び前記他面側緯糸のいずれの糸の破断伸びよりも小さい請求項１又は２に記載のシートベルト用ウェビング。
【請求項４】
請求項１乃至３のうちのいずれかに記載のシートベルト用ウェビングを用いたことを特徴とするシートベルト。
【発明の詳細な説明】
【技術分野】
【０００１】
本発明は、シートベルト用ウェビング及びシートベルトに関し、更に詳しくは、衝突時にシートベルトから乗員へ作用する圧力負荷を軽減することができるシートベルト用ウェビング及びシートベルトに関する。
【背景技術】
【０００２】
近年、シートベルトの特性を操作することで、衝突時に乗員の受ける荷重や、加速度を緩和して、乗員が受ける影響を低減することが検討されている。
このような技術としては、経糸をウェビングの伸長方向に配したシートベルトで、弛み具合の異なる織り方による複数の経糸を並列に組み合わせたシートベルトが下記特許文献１として知られている。
また、ベルトの縦糸の長手方向に沿って複数本の低伸度高強力糸からなる付加組材が横糸方向に略平行状態で挿入され、付加組材は縦糸の長手方向に沿って順次織成される横糸間で夫々挾持されるようになされ、ベルトに衝撃荷重が加えられた場合に、付加組材が破断するようになされた衝撃吸収用ベルトが、下記特許文献２として知られている。
更に、メッシュウェビングが膨張する際その膨張力で絡み糸が破断してカバーが展開することによりメッシュウェビングが大きく膨張するようになっているエアベルトが、下記特許文献３として知られている。
【先行技術文献】
【特許文献】
【０００３】
【特許文献１】特開２００３−１８２５１３号公報
【特許文献２】特開平６−８１２４４号公報
【特許文献３】特開２００２−１７８８６７号公報
【発明の概要】
【発明が解決しようとする課題】
【０００４】
上記特許文献１は、伸びの異なる経糸を使い分けてシートベルトウェビングが段階的に延びるようにして慣性力を逃がして、衝突時の乗員への負荷を軽減する技術である点において優れる。また、上記特許文献２は、経糸組織に低伸度高強力糸を付加し、付加組織がランダムに破断することで慣性力を逃がして、衝突時の乗員への負荷を軽減する技術である点において優れる。更に、上記特許文献３は、エアベルトを構成する脆弱な糸が破断してベルト幅が広がって、衝突時の乗員への負荷を軽減する技術である点において優れる。しかし、更に、種々の構成による衝突時の乗員への負荷を軽減する技術が求められている。
【０００５】
特に、近時のシートベルト（シートベルトアッシー）の機構は、初期拘束を向上させて加速Ｇ及び二次衝突を抑えるために、低伸度のウェビングを用いることや、ウェビングを強制的に巻取って伸び出し量を抑えるように設計されたテンションデューサー機構が具備されることがあり、これらの構造により乗員への特に胸部への負荷が大きくなる傾向がある。この対策として、リトラクタ−にフォースリミッター等の機械的なエネルギー吸収装置を搭載することで軽減を図っているが、更なる胸部への負荷軽減が求められる。
【０００６】
本発明は上記実情に鑑みてなされたものであり、経糸方向に負荷が加わった場合に幅広化することによって、乗員への負荷を軽減できるシートベルト用ウェビング及びシートベルトを提供することを目的とする。
【課題を解決するための手段】
【０００７】
上記問題点を解決するために、請求項１に記載のシートベルト用ウェビングは、主面側経糸と主面側緯糸と接結経糸とにより構成された主面側織物層、
他面側経糸と他面側緯糸と前記接結経糸とにより構成された他面側織物層、
前記主面側織物層と前記他面側織物層との間で、前記接結経糸を織り込む接結緯糸、を有し、
前記主面側緯糸が、前記接結経糸によって前記他面側織物層に織り込まれ、且つ、前記他面側緯糸が、前記接結経糸によって、前記主面側織物層に織り込まれて、前記主面側織物層と前記他面側織物層とが接結されており、
前記各経糸に沿った方向に負荷が加わった場合に、前記接結経糸が破断されるとともに、前記主面側織物層及び前記他面側織物層が前記各緯糸に沿った方向に拡がって幅広化することを特徴とする。
【０００８】
請求項２に記載のシートベルト用ウェビングは、請求項１において、前記接結経糸の破断強度は、前記主面側経糸、前記主面側緯糸、前記他面側経糸、及び前記他面側緯糸のいずれの糸の破断強度よりも小さいことを要旨とする。
【０００９】
請求項３に記載のシートベルト用ウェビングは、請求項１又は２において、前記接結経糸の破断伸びが、前記主面側経糸、前記主面側緯糸、前記他面側経糸、及び前記他面側緯糸のいずれの糸の破断伸びよりも小さいことを要旨とする。
【００１０】
請求項４に記載のシートベルト請求項１乃至３のうちのいずれかにおいて、前記シートベルト用ウェビングを用いたことを特徴とする。
【発明の効果】
【００１１】
本発明のシートベルト用ウェビングによれば、経糸方向に負荷が加わった場合に幅広化し、ベルト本体と乗員との接触面積を増加させて、乗員への負荷を軽減できる。また、この幅広化により乗員の胸部への負荷軽減も得ることができる。
接結経糸の破断伸びが、主面側経糸、主面側緯糸、他面側経糸、及び他面側緯糸のいずれの糸の破断伸びよりも小さい場合には、より確実に接結経糸が破断されて、シートベルト用ウェビングを幅広化することができる。
本発明のシートベルトによれば、経糸方向に負荷が加わった場合にシートベルト用ウェビング（ベルト本体）が幅広化し、ベルト本体と乗員との接触面積を増加させて、乗員への負荷を軽減できる。また、この幅広化により乗員の胸部への負荷軽減も得ることができる。
【図面の簡単な説明】
【００１２】
本発明について、本発明による典型的な実施形態の非限定的な例を挙げ、言及された複数の図面を参照しつつ以下の詳細な記述にて更に説明するが、同様の参照符号は図面のいくつかの図を通して同様の部位を示す。
【図１】本発明にかかるシートベルト用ウェビングの一例の模式的な断面図である。
【図２】図１のシートベルト用ウェビングが幅広化された状態を示す模式的な断面図である。
【図３】本発明にかかるシートベルト用ウェビングの他例の模式的な断面図である。
【図４】図３のシートベルト用ウェビングが幅広化された状態を示す模式的な断面図である。
【図５】座席に乗員が着座した状態において本発明のシートベルト用ウェビングを用いたシートベルトを説明する側方からの模式図である。
【図６】図５におけるシートベルト用ウェビングが幅広化された状態を説明する側方からの模式図である。
【図７】シートベルト用ウェビングの幅広化される前後の状態を説明する模式図である。
【発明を実施するための形態】
【００１３】
ここで示される事項は例示的なものおよび本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１４】
［１］シートベルト用ウェビング
本発明のシートベルト用ウェビング１は、主面側経糸１１と主面側緯糸１２と接結経糸３１とにより構成された主面側織物層１０、
他面側経糸２１と他面側緯糸２２と前記接結経糸３１とにより構成された他面側織物層２０、
前記主面側織物層１０と前記他面側織物層２０との間で、前記接結経糸３１を織り込む接結緯糸３２、を有し、
主面側緯糸１２が、接結経糸３１によって他面側織物層２０に織り込まれ、且つ、他面側緯糸２２が、接結経糸３１によって、主面側織物層１０に織り込まれて、主面側織物層１０と他面側織物層２０とが接結されており、
前記各経糸に沿った方向に負荷が加わった場合に、前記接結経糸３１が破断されるとともに、前記主面側織物層１０及び前記他面側織物層２０が前記各緯糸に沿った方向に拡がって幅広化することを特徴とする。
【００１５】
上記「主面側織物層（１０）」は、主面側経糸１１と主面側緯糸１２と接結経糸３１とにより構成された織物層である。この主面側織物層１０は、どのような組織であってもよく、平組織及び綾組織などとすることができる。より具体的には、例えば、図１及び図３に例示されるように平組織とすることができる。
更に、主面側織物層１０は、これを構成する主面側緯糸１２が接結経糸３１によって、他面側織物層２０に対して織り込まれることによって他面側織物層２０と接結されている（図１及び図３参照）。
【００１６】
上記「他面側織物層（２０）」は、他面側経糸２１と他面側緯糸２２と接結経糸３１とにより構成された織物層である。この他面側織物層２０は、どのような組織であってもよく、平組織及び綾組織などとすることができる。より具体的には、例えば、図１及び図３に例示されるように平組織とすることができる。
更に、他面側織物層２０は、これを構成する他面側緯糸２２が接結経糸３１によって、主面側織物層１０に対して織り込まれることによって主面側織物層１０と接結されている（図１及び図３参照）。
【００１７】
前述のように、主面側織物層１０と他面側織物層２０とは、上記接結によって一体化されており、経糸に沿った方向に負荷が加わった場合に、接結経糸３１が破断されるとともに各緯糸に沿った方向に各々の層（主面側織物層１０及び他面側織物層２０）が拡がって、本シートベルト用ウェビングが幅広化される。
上記接結は、主面側緯糸１２が接結経糸３１によって他面側織物層２０に織り込まれ、且つ、他面側緯糸２２が接結経糸３１によって主面側織物層１０に織り込まれていればよく、その他の形態については特に限定されない。
【００１８】
上記幅広化できるシートベルト用ウェビングのより具体的な構成としては、隣接した接結経糸３１の間に、主面側織物層１０を構成するＳ本（但しＳ≧２）の主面側経糸１１を介在させて、主面側織物層１０と他面側織物層２０とを接結した構成（主面側の構成）が挙げられる。
上記主面側の構成に対して、他面側の構成も、隣接した接結経糸３１の間に、他面側織物層２０を構成するＳ本（但しＳ≧２）の他面側経糸２１を介在させて、主面側織物層１０と他面側織物層２０とを接結した構成（他面側の構成）とすることができる。
【００１９】
上記主面側の構成を換言すれば、「（Ｎ−１）×Ｓ本」の主面側経糸１１を、「Ｎ本」の接結経糸３１によって挟んだ構成である。従って、「（Ｎ−１）×Ｓ本」の主面側経糸１１を有する主面側織物層１０を、「Ｎ本」の接結経糸３１によって折り畳んだ状態で維持することとなる。そして、接結経糸３１が破断された場合には、経糸に沿った方向の負荷によって、折り畳まれていたＳ本の主面側経糸１１が開放されて主面側織物層１０が幅広化（広がる）されることとなる。
【００２０】
同様に、上記他面側の構成を換言すれば、「（Ｎ−１）×Ｓ本」の他面側経糸２１を、「Ｎ本」の接結経糸３１によって挟んだ構成である。従って、「（Ｎ−１）×Ｓ本」の他面側経糸２１を有する他面側織物層２０を、「Ｎ本」の接結経糸３１によって折り畳んだ状態で維持することとなる。そして、接結経糸３１が破断された場合には、経糸に沿った方向の負荷によって、折り畳まれていたＳ本の他面側経糸２１が開放されて他面側織物層２０が幅広化（広がる）されることとなる。
【００２１】
上記主面側の構成において、隣接した接結経糸３１の間に介在された主面側経糸１１の数（Ｓ本）は、全ての隣接した接結経糸３１間で同数であってもよいが、異なっていてもよい。例えば、第１の隣接した接結経糸３１の間に「Ｓ＝２」本の主面側経糸１１を介在させ、第２の隣接した接結経糸３１の間に「Ｓ＝４」本の主面側経糸１１を介在させ、各隣接した接結経糸３１の間に介在される主面側経糸１１の数（Ｓの数）を異ならせることができる。
同様に、上記他面側の構成も、隣接した接結経糸３１の間に介在された他面側経糸２１の数（Ｓ本）は、全ての隣接した接結経糸３１間で同数であってもよいが、異なっていてもよい。即ち、例えば、第１の隣接した接結経糸３１の間に「Ｓ＝２」本の他面側経糸２１を介在させ、第２の隣接した接結経糸３１の間に「Ｓ＝４」本の他面側経糸２１を介在させ、各隣接した接結経糸３１の間に介在される他面側経糸２１の数（Ｓの数）を異ならせることができる。
【００２２】
各隣接した接結経糸３１の間に介在させる主面側経糸１１の数をＳ本（但しＳ≧２）の同数とする場合には、隣接する「Ｎ本」の接結経糸３１の間に、主面側織物層１０を構成する「（Ｎ−１）×Ｓ本」の主面側経糸１１を介在させて、主面側織物層１０と他面側織物層２０とを接結した構成（主面側の構成）となる。
同様に、他面側も、各隣接した接結経糸３１の間に介在させる他面側経糸２１の数をＳ本（但しＳ≧２）の同数とする場合には、隣接する「Ｎ本」の接結経糸３１の間に、他面側織物層１０を構成する「（Ｎ−１）×Ｓ本」の他面側経糸２１を介在させて、主面側織物層１０と他面側織物層２０とを接結した構成（他面側の構成）となる。
【００２３】
上記主面側の構成及び上記他面側の構成に関わらず、上記Ｎ及び上記Ｓは特に限定されない。特に、Ｓは２≦Ｓとすることができる。但し、主面側の構成におけるＮ及びＳと、他面側の構成におけるＮ及びＳと、は同じであってもよく、異なってもよい。
【００２４】
上記主面側の構成及び上記他面側の構成は、各々の層（主面側織物層１０及び他面側織物層２０）の全体をなしてもよく、また、一部のみをなしてもよい。
更に、上記主面側の構成及び上記他面側の構成の間には、幅広化しない組織を挟むことができる。幅広化しない組織とは、上記ＳがＳ＝１の組織、及び、隣接する２本の接結経糸３１の間に主面側経糸１１又は他面側経糸２１を介在しない組織（Ｓ＝０）が挙げられる。これらは１種のみを用いてもよく２種以上を併用してもよい。
【００２５】
更に、本発明のシートベルト用ウェビングは、主面側織物層１０と他面側織物層１１との間で、接結経糸３１を織り込む接結緯糸３２を備える。この接結緯糸３２は、接結経糸３１を織り込むことにより、接結経糸３１同士の間隔をより狭く維持することができる。従って、接結緯糸３２を備えることにより、より効果的にシートベルト用ウェビングを幅広化させることができる。
【００２６】
また、接結経糸３１と接結緯糸３２とにより形成される組織は、どのような組織であってもよく、平組織及び綾組織などとすることができる。より具体的には、例えば、図１及び図３に例示されるように平組織とすることができる。
更に、この接結緯糸３２は、接結経糸３１を織り込んでいること以外において特に限定されないものの、通常、各経糸に沿った方向に負荷によって接結経糸３１が破断された際のシートベルト用ウェビング１の幅広化を阻害しないように、主面側織物層１０及び他面側織物層２０を構成する各糸とは織り込まれない。従って、通常、接結緯糸３２は、シートベルト用ウェビング１の表面に現れない糸である。
【００２７】
尚、本発明のシートベルト用ウェビングは、通常、幅方向の両端において織りが解けないための構成を備えている。即ち、例えば、袋織り等が挙げられる。これらは１種のみを用いてもよく２種以上を併用してもよい。
【００２８】
更に、本発明のシートベルト用ウェビングは、主面側織物層１０及び他面側織物層２０以外にも他の層を備えることができる。即ち、他面側織物層２０（第１の他面側織物層２０）の他面側（主面側織物層１０と接結されない側の表面）に、第２の他面側織物層を有することができる。この場合、第２の他面側織物層は、他面側織物層２０と同様な構成とすることができる。更に、主面側織物層１０と第１の他面側織物層２０とを第１の接結経糸３１を用いて接結するのと同様に、第１の他面側織物層２０と第２の他面側織物層とを第２の接結経糸を用いて接結することができる。更に上記と同様に第２の接結緯糸を備えることもできる。このようにして、本発明のシートベルト用ウェビングは２重構成だけでなく、３重構成以上のウェビングとすることもできる。
【００２９】
上記主面側織物層１０及び上記他面側織物層２０の各々を構成する各糸については、特に限定されず、各種糸（主面側経糸１１、主面側緯糸１２、他面側経糸２１、他面側緯糸２２、接結経糸３１、接結緯糸３２）としては、モノフィラメント及びマルチフィラメントを用いることができる。これらは１種のみを用いてもよく、２種以上を併用してもよい。更に、各糸は、捲縮加工や嵩高加工等を加工糸でもよく、非加工糸であってもよい。
【００３０】
また、各種糸を構成する材料は特に限定されないが、通常、樹脂が用いられ、更には、熱可塑性樹脂が好ましい。この熱可塑性樹脂としては、ポリアミド系樹脂｛脂肪族ポリアミド樹脂（ナイロン等）、芳香族ポリアミド樹脂（パラフェニレンジアミンとテレフタル酸との重合体など）｝、ポリエステル系樹脂（ポリエチレンテレフタレート、ポリプロピレンテレフタレート、ポリブチレンテレフタレート、ポリエチレンナフタレート等）、ビニル系樹脂（疎水化ポリビニルアルコール樹脂等、特にビニロン）、ポリオレフィン系樹脂（ポリエチレン樹脂、ポリプロピレン樹脂、ポリブタジエン樹脂等）、ポリフェニレンサルファイド樹脂（ＰＰＳ）等が挙げられる。これらは１種のみを用いてもよく、２種以上を併用してもよい。
また、各糸は、各々単一材質で構成されていてもよく、経糸又は緯糸ごとに材質が異なる２種以上の材質で構成されてもよい。更に、各糸には、無機フィラー及び／又は有機フィラーが含有されてもよい。
【００３１】
更に、各糸同士の強度の相関については特に限定されないが、接結経糸３１の破断強度は、主面側経糸１１、主面側緯糸１２、他面側経糸２１、及び他面側緯糸２２のいずれの糸の破断強度よりも小さいことが好ましい。また、接結緯糸３２は、接結経糸３１の破断強度と同じであるか又は接結経糸３１の破断強度よりも小さいことが好ましい。この構成を有することにより、経糸に沿った方向に負荷が加わった場合に、いずれの糸よりも先に接結経糸３１を破断させることができ、よりスムーズに幅広化を行うことができる。
【００３２】
より具体的には、上記接結経糸３１の破断強さは、２〜８ｋＮであることが好ましい。この破断強さは、オートグラフ（株式会社島津製作所製）を用いて、試長１００〜２００ｍｍ、引張速度１００ｍｍ／分で応力−伸長曲線を測定し、繊維の破断点の強度として求めた。
【００３３】
更に、接結経糸３１の破断伸びは、主面側経糸１１、主面側緯糸１２、他面側経糸２１、他面側緯糸２２、及び接結緯糸３２のいずれの糸の破断伸びよりも小さいことが好ましい。この構成を有することにより、主面側織物層１０及び他面側織物層２０をスムーズに幅広化を行うことができる。
【００３４】
［２］シートベルト
本発明のシートベルト５（図５〜図７参照）は、本発明のシートベルト用ウェビング１を用いたことを特徴とする。より具体的には、ベルト本体５１（シートベルト用ウェビング１から構成されている長尺織物）と、その他の構成とを備えることができる。その他の構成としては、ベルト本体５１の一端側から、ベルト本体５１の一端側を固定しつつベルト本体５１を延出及び巻取りが可能とされたリトラクタと、ベルト本体５１が挿通されるとともに車両又は座席に固定されてベルト本体５１の延出方向を変化させるスルーアンカと、ベルト本体５１が挿通されるとともにベルト本体５１を長尺方向に可動可能とされたタングと、車両又は座席６に固定されるとともにベルト本体５１の他端を固定するアンカと、を備えることができる。尚、上記ベルト本体は、シートベルト用ウェビングの幅方向の両端は袋織りされているものであることが好ましい。また、上記タングを固定するためのバックル６１は、車両本体又は座席６に固定して備えることができる。
【００３５】
このシートベルト５は、図５及び図７に例示されるように、経糸に沿った方向に負荷が加わる前であり、幅広化されていない状態においては、幅広化されていないベルト本体部５１ａにより座席６に対して乗員７を拘束する。そして、図６及び図７に例示されるように、経糸に沿った方向に負荷が加わった場合には、前に詳述した通り、本発明のシートベルト用ウェビングの作用に幅広化されて、慣性力によってシートベルト５から乗員６へ作用する圧力負荷を軽減しつつ、この幅広化されたベルト本体部５１ｂにより座席６に対して乗員７を拘束し続けることができる。
【実施例】
【００３６】
以下、図面を用いて実施例により本発明を具体的に説明する。
［実施形態１］
図１及び図２は、各経糸に沿った方向に負荷が加わった場合に、接結経糸３１が破断されて、幅４７．０ｍｍの主面側織物層１０及び他面側織物層２０が、各緯糸に沿った方向に拡がって幅９０ｍｍまで幅広化することが可能なシートベルト用ウェビング１ａである。
【００３７】
このシートベルト用ウェビング１ａは、主面側経糸１１と主面側緯糸１２と接結経糸３１とにより構成された主面側織物層１０を有する。この主面側織物層１０は、主面側経糸１１と主面側緯糸１２とを用いて平組織が形成されている。
更に、シートベルト用ウェビング１ａは、他面側経糸２１と他面側緯糸２２と接結経糸３１とにより構成された他面側織物層２０を有する。この他面側織物層１０は、主面側経糸１１と主面側緯糸１２とを用いて平組織が形成されている。
【００３８】
また、主面側織物層１０と他面側織物層２０とは、接結経糸３１により接結されている。また、隣接した接結経糸３１の間に、２本（即ちＳ＝２）の主面側経糸１１を介在させつつ、主面側緯糸１２が、この接結経糸３１によって他面側織物層２０に織り込まれ、更に、隣接した接結経糸３１の間に、２本（即ちＳ＝２）の他面側経糸２１を介在させつつ、他面側緯糸２２が、この接結経糸３１によって主面側織物層１０に織り込まれることによって、両層は接結されている。
また、接結経糸３１のみを織り込む接結緯糸３２を備え、接結経糸３１同士の間隔を狭く維持した構成となっている。更に、図示されないウェビングの幅方向の両端は、袋織りにされた耳部を有する。
【００３９】
そして、主面側経糸１１及び他面側経糸２１は、いずれも１１００〜１６７０ｄｔｅｘのマルチフィラメント（フィラメント数４８〜１９６本、特に１４４本）である。また、破断強度は８．１ｃＮ／ｄｔｅｘ以上（好ましくは７〜９ｃＮ／ｄｔｅｘ）である。即ち、主面側経糸１１及び他面側経糸２１は、繊維１本あたり８９〜１３５Ｎの破断強度を有する。更に、破断伸びは１０〜２０％（特に１４．０±２．０％）である。即ち、他の糸との相関でいえば、高強力糸である。この主面側経糸１１及び他面側経糸２１は、いずれも２３０〜３００本であり、特に１５３本とされる。
【００４０】
また、主面側緯糸１２及び他面側緯糸２２は、いずれも７００ｄｔｅｘのマルチフィラメント（９６本）である。また、破断強度は７．５ｃＮ／ｄｔｅｘ以上である。即ち、主面側緯糸１２及び他面側緯糸２２は、繊維１本あたり５２．５Ｎの破断強度を有する。更に、破断伸びは１３．５±２．０％である。即ち、他の糸との相関でいえば、高強力糸である。この主面側緯糸１２及び他面側緯糸２２は、いずれも１９本／インチとされる。
【００４１】
更に、接結経糸３１は、２００〜５６０ｄｔｅｘのモノフィラメントである。また、破断強度は７．０ｃＮ／ｄｔｅｘ以下（好ましくは２〜５ｃＮ／ｄｔｅｘ）である。更に、破断伸びは５．０％以上（好ましくは８〜１０％）である。即ち、他の糸との相関でいえば、低伸度低強力糸である。この接結経糸３１は、５〜１５本／インチであり、特に１０本／インチとされる。
【００４２】
また、接結緯糸３２は、２００〜５６０ｄｔｅｘのモノフィラメントである。また、破断強度は５．０ｃＮ／ｄｔｅｘ以下（好ましくは２〜４ｃＮ／ｄｔｅｘ）である。更に、破断伸びは２５．０％以上（好ましくは３０〜４０％）である。即ち、他の糸との相関でいえば、低力伸縮糸である。この接結緯糸３２は、１０〜２０本／インチであり、特に１７本／インチとされる。
【００４３】
［実施形態２］
図３及び図４も、実施形態１と同様に、各経糸に沿った方向に負荷が加わった場合に、接結経糸３１が破断されて、幅４７．０ｍｍの主面側織物層１０及び他面側織物層２０が、各緯糸に沿った方向に拡がって幅９０ｍｍまで幅広化することが可能なシートベルト用ウェビング１ｂである。
【００４４】
このシートベルト用ウェビング１ｂは、シートベルト用ウェビング１ａと同様の主面側織物層１０及び他面側織物層２０を有し、主面側織物層１０と他面側織物層２０とは、接結経糸３１により接結されている。
但し、このシートベルト用ウェビング１ｂは、シートベルト用ウェビング１ａと異なり、隣接した接結経糸３１の間に、５本（即ちＳ＝５）の主面側経糸１１を介在させつつ、主面側緯糸１２が、この接結経糸３１によって他面側織物層２０に織り込まれ、更に、隣接した接結経糸３１の間に、５本（即ちＳ＝５）の他面側経糸２１を介在させつつ、他面側緯糸２２が、この接結経糸３１によって主面側織物層１０に織り込まれることによって、両層は接結されている。
尚、接結経糸３１のみを織り込む接結緯糸３２を備え、接結経糸３１同士の間隔を狭く維持した構成となっていることも、シートベルト用ウェビング１ａと同様であり、更に、図示されないウェビングの幅方向の両端が、袋織りにされた耳部を有することも同様である。
尚、主面側経糸１１、他面側経糸２１、主面側緯糸１２、他面側緯糸２２、接結経糸３１、及び接結緯糸３２は、いずれも上記実施形態１における各糸と同様である。
【００４５】
前述の例は単に説明を目的とするものでしかなく、本発明を限定するものと解釈されるものではない。本発明を典型的な実施形態の例を挙げて説明したが、本発明の記述および図示において使用された文言は、限定的な文言ではなく説明的および例示的なものであると理解される。ここで詳述したように、その形態において本発明の範囲または精神から逸脱することなく、添付の特許請求の範囲内で変更が可能である。ここでは、本発明の詳述に特定の構造、材料および実施例を参照したが、本発明をここにおける開示事項に限定することを意図するものではなく、むしろ、本発明は添付の特許請求の範囲内における、機能的に同等の構造、方法、使用の全てに及ぶものとする。
【符号の説明】
【００４６】
１、１ａ、１ｂ；シートベルト用ウェビング、
１０；主面側織物層、１１；主面側経糸、１２；主面側緯糸、
２０；他面側織物層、２１；他面側経糸、２２；他面側緯糸、
３１；接結経糸、３２；接結緯糸、
５；シートベルト、
５１；ベルト本体、５１ａ；幅広化前のベルト本体、５１ｂ；幅広化後のベルト本体、
６；シート（座席）、６１；バックル、７；乗員。
【図１】
2013067294.tif 000003
【図２】
2013067294.tif 000004
【図３】
2013067294.tif 000005
【図４】
2013067294.tif 000006
【図５】
2013067294.tif 000007
【図６】
2013067294.tif 000008
【図７】
2013067294.tif 000009